(57)【要約】      （修正有）【課題】小型で取付けの容易な，ウェアラブルなアンテナ装置を提供することにある。【解決手段】アンテナ装置において，アンテナ部と，当該アンテナ部を可倒自在に固着するボールジョイントからなる支持部と，当該支持部に取付けられた当付片と当該当付片に対向する位置に配置した挟持片の夫々の略中央部において枢着し，発条によって常に一端を閉じるように押圧する挟み器と，を備え，リムーバブル，且つ，ウェアラブルであることを特徴としたアンテナ装置。【選択図】図１
2006109021.tif 000002
【特許請求の範囲】
【請求項１】
アンテナ装置において，
アンテナ部と，当該アンテナ部を可倒自在に固着する支持部と，当該支持部に取付けられた当付片と当該当付片に対向する位置に配置した挟持片の夫々の略中央部において枢着し，発条によって常に一端を閉じるように押圧する挟み器と，を備えたことを特徴としたアンテナ装置。
【請求項２】
前記アンテナ部に，予め出力端側に接続コネクタを備えた伝送線を具備させたことを特徴とした請求項１に記載のアンテナ装置。
【請求項３】
前記支持部は，ボールジョイントで構成したことを特徴とした請求項１又は請求項２に記載のアンテナ装置。
【請求項４】
請求項１乃至請求項３に記載のアンテナ装置は，ウェアラブルであることを特徴としたアンテナ装置。
【請求項５】
前記アンテナ装置は，移動体向け衛星ディジタル放送のサービス用であることを特徴とした請求項１乃至請求項４に記載のアンテナ装置。
【請求項６】
移動体向け衛星ディジタル放送の受信システムにおいて，衛星ディジタル放送用の携帯型端末装置と請求項１乃至請求項４に記載のアンテナ装置とからなることを特徴とした移動体向け衛星ディジタル放送の受信システム。
【発明の詳細な説明】
【技術分野】
【０００１】
本発明は，主に放送波の受信用のアンテナ装置に関し，詳しくは移動体向けに適したアンテナ装置の構造及びこのアンテナ装置を用いた受信システムに関する。
【背景技術】
【０００２】
従来の小型の携帯型端末装置には，該端末装置から伸縮自在に形成されたり，固定されたりしたアンテナや，誘電体アンテナや逆Ｆ型アンテナのように情報端末の内部に収納したアンテナが知られている。ところがこれらのアンテナはアンテナの基本性能等の外に，外形形状や，コストなどを取付ける携帯型情報端末に合わせて夫々が一番よい状態になるように設計されている。（例えば，特許文献１の従来の技術参照）
【０００３】
【特許文献１】特開２００１−３３９２２１号公報
【発明の開示】
【発明が解決しようとする課題】
【０００４】
しかし，携帯型端末装置が小型化されるのに伴い，従来のようなアンテナではアンテナの基本性能を備えつつ，外形寸法，コスト等を全て満たすことが非常に困難となってきた。
また，最近，衛星を用いた移動体向けのディジタル放送が開始され，専用の携帯用の受信端末や車載型の受信端末によって，車での移動中や屋外で音楽番組や映像番組及びデータ放送等のサービスが，２．６ＧＨｚ帯の信号を用いて行われることになり，アンテナを内蔵させた専用の受信端末が提供されることになった。これに対して受信端末に内蔵させたアンテナ装置のサイズが大きいと端末のサイズが大きくなり携帯し難い物となるし，形状を小さく且つ特性のよいものを作ろうとするとコストがかかり延いては受信端末の価格が高くなるといった問題があり，内蔵アンテナとは別に，電波を途切れることなく効率的に受信できるようにするために，小型で且つ携帯のしやすい外部アンテナ装置が求められるようになった。
そこで本願においては，携帯型端末装置に適した外部接続型のアンテナ装置を提供するためになされたものであり，
その目的は，小型で取付け，取外しの容易なアンテナ装置を提供することにある。
他の目的は，アンテナを可倒自在に形成した小型で取付け，取外し容易なのアンテナ装置を提供することにある
他の目的は，ウェアラブルな小型で取付けの容易なアンテナ装置を提供することにある。
他の目的は，小型で取付けの容易なリムーバブルなアンテナ装置を提供することにある。
他の目的は，携帯型端末装置用の小型のアンテナ装置を提供することにある。
他の目的は，携帯型端末装置用のウェアラブルナな小型のアンテナ装置を提供することにある。
他の目的は，携帯型端末装置と前記アンテナ装置用いた受信システムを提供することを課題とする。
【課題を解決するための手段】
【０００５】
上記課題を解決するために，請求項１の発明は，アンテナ装置において，アンテナ部と，当該アンテナ部を可倒自在に固着する支持部と，当該支持部に取付けられた当付片と当該当付片に対向する位置に配置した挟持片の夫々の略中央部において枢着し，発条によって常に一端を閉じるように押圧する挟み器と，を備えた。
【０００６】
請求項２の発明は，請求項１に記載のアンテナ装置において，前記アンテナ部に，予め出力端側に接続コネクタを備えた伝送線を具備させた。
【０００７】
請求項３の発明は，請求項１又は請求項２に記載のアンテナ装置において，前記支持部は，ボールジョイントで構成したことを特徴とした。
【０００８】
請求項４の発明は，請求項１乃至請求項３に記載のアンテナ装置は，ウェアラブルであるように構成される。
【０００９】
請求項５の発明は，請求項１乃至請求項４に記載のアンテナ装置において，前記アンテナ装置は，移動体向け衛星ディジタル放送のサービス用であるように構成される。
【００１０】
請求項６の発明は，移動体向け衛星ディジタル放送の受信システムにおいて，衛星ディジタル放送用の携帯型端末装置と請求項１乃至請求項４に記載のアンテナ装置とからなるように構成される。
【発明の効果】
【００１１】
請求項１の発明によれば，アンテナ装置において，アンテナ部と，当該アンテナ部を可倒自在に固着する支持部と，当該支持部に取付けられた当付片と当該当付片に対向する位置に配置した挟持片の夫々の略中央部において枢着し，発条によって常に一端を閉じるように押圧する挟み器と，を備えたので，
簡単な操作でアンテナの取付け，取外しができる小型でリムーバブルなアンテナ装置を提供できる。
【００１２】
請求項２の発明によれば，請求項１に記載のアンテナ装置において，前記アンテナ部に，予め出力端側に接続コネクタを備えた伝送線を具備させたので，
伝送線の接続のための加工等を必要としない簡単な構成で，且つ簡単な操作でアンテナの取付け，取外しができるリムーバブルなアンテナ装置を提供できる。
【００１３】
請求項３の発明によれば，請求項１又は請求項２に記載のアンテナ装置において，前記支持部は，ボールジョイントで構成したことを特徴としたので，
アンテナの自立方向と挟み器の方向を自在に設定できる，取付場所を選ばないアンテナ装置を提供できるのである。
【００１４】
請求項４の発明によれば，請求項１乃至請求項３に記載のアンテナ装置は，ウェアラブルであるように構成したので，
アンテナ装置を携帯して，ポケットやハンドバッグ・鞄等にも簡単に取付け，取外しができるアンテナ装置を提供できる。
【００１５】
請求項５の発明によれば，請求項１乃至請求項４に記載のアンテナ装置において，前記アンテナ装置は，移動体向け衛星ディジタル放送のサービス用であるように構成したので，
簡単な操作でアンテナの取付け，取外しができるリムーバブルな衛星ディジタル放送のサービスに適したアンテナ装置を提供できる。
。
【００１６】
請求項６の発明によれば，移動体向け衛星ディジタル放送の受信システムにおいて，衛星ディジタル放送用の携帯型端末装置と請求項１乃至請求項４に記載のアンテナ装置とからなるように構成したので，
電波を最適な条件で受信できるようにすることができ，加入者はいつでも携帯端末から情報を得たり，ヘッドフォン等で高品質なサービスを受けたりすることができるようなる。
【発明を実施するための最良の形態】
【００１７】
以下に，本発明を具体化した実施形態の例を，図面を基に詳細に説明する。
図１は本願に係るアンテナ装置の実施形態を示す斜視図である。図２は本願に係るアンテナ装置のアンテナ部の立設方向を可変した時の斜視図である。図３は本願のアンテナ装置を用いた受信システムの概略図である。図４は本願に示すウェアラブルなアンテナ装置の取付けの実施例を示す。
【実施例１】
【００１８】
図１の斜視図において，１は本願に係るアンテナ装置の実施形態の一例である。１０はアンテナ部であり，２０は該アンテナ部を可倒自在に構成された支持部であり，所定範囲の中において任意の位置に固着できるように構成されている。３０は前記支持部２０に取付けられた挟み器である。
【００１９】
アンテナ部１０は，アンテナ素子として例えばヘリカルアンテナを用い，該アンテナ素子を合成樹脂材等で形成した保護カバー１１の内部に収納した構成のものであり，このアンテナの下部１２において，該下部１２と支持部２０の一方側とが可倒自在に摺動固着されるように枢着されている。図において１３は枢着軸である。
図１に示す実施形態においては，前記アンテナ部１０の底部から前記保護カバー１１内部に収納したアンテナ素子からの出力信号を出力するための接続コネクタ１５が具備された例を示しているが，図２に示すように，アンテナ素子からの出力信号を出力するために，一方が前記アンテナ素子の出力に接続され，他方には接続コネクタ１７ａを具備した所定長さに形成された伝送線１７を，このアンテナ装置１の底部に予め組付けられた状態とするように構成しても良い。
【００２０】
支持部２０は，一方側に前記アンテナ部１０と枢着した，略円形に形成された平板状の枢着部２１と，他方側に前記支持部を所定範囲内における任意の方向に，可倒自在に摺動固着するように形成されたボールジョイント部２５とからなる。
更に，このボールジョイント部２５はボール部２５ａとボール受部２５ｂとからなリ，本願の実施例では前記枢着部２１とボール部２５とは合成樹脂材で一体に形成されている。
また，ボール受部２５ｂは，前記ボール部２５ａの外形に嵌合すると共に，当該ボール部２５ａを可動自在に摺動固着する弾性を有する係合爪２６，２６・・・を備えるように合成樹脂材を用いて形成したものである。
【００２１】
前記ボール受部２５ｂは前記挟み器３０の当付片３１に固着されている。この挟み器３０は前記当付片３１と該当付片３２に対向する位置に配置した挟持片３２の，夫々の略中央部に相互に対向するように形成された係止片３１ａ・３１ａ，３２ａ・３２ａにおいて枢着され，発条３５によって常に一端３１ｂ，３２ｂを閉じるように押圧するように構成されている。
当付片３１及び挟持片３２の先端部３１ｂ，３２ｂの内面側には弾性を有する軟質材で形成された弾性部材３６，３６が備えられており，挟み器３０を取付けた時のグリップを強くするものである。
尚，前記当付片３１及び挟持片３２は本願の実施例では合成樹脂材を用いて形成したものであり，当付片と前記ボール受部２５ｂとは一体的に形成した例を示した。またこの場合，弾性部材３５，３６の替わりに前記当付片３１及び前記挟持片３２に一体的に凸凹手段を形成して，相互に嵌合するように構成してもよい。
【００２２】
このように本願のアンテナ装置によれば，アンテナ部１０と挟み器３０とは支持部２０を介して，所定範囲内（本願の実施例では図１の状態において，ボールジョイント部によって前後方向・左右方向には夫々略１８０°，アンテナ部の軸線を中心軸として３６０°，枢着部において前後に略１８０°以上）において可倒自在に摺動固着されるように構成されているので，上述の例のように挟み器３０の取付け方向とアンテナ部の軸線方向とが略直交する方向になるように向かせたり，図３に示すように挟み器３０の閉部３１ｂ，３２ｂ方向とアンテナ部１０の軸線方向とが略同方向を向くように取付けたり，方向自在に取付け可能に構成されている。
したがって，本願に係るアンテナ装置１は，個人が携帯しても邪魔にならないほど小型に形成されると共に，アンテナ部１０と方向自在に調整可能な支持部２０を介して挟み器３０を備えたので，多様な取付場所に応じてアンテナが簡単に取付けでき，また，使用が終わったのならば容易に取外しができるリムーバブルアンテナとして有効性の高いアンテナ装置
【００２３】
次にこのアンテナ装置１を用いた，衛星ディジタル放送のサービスを受信するシステムについて説明する。このシステムの実施例ではアンテナ装置１は例えば２．６ＧＨｚ帯の信号を受信するよう構成されている。受信した信号は伝送線１７を介して受信端末２に入力される。この受信端末２は衛星ディジタル受信専用の携帯用受信端末や車載型の受信端末であってもよく，屋外や車での移動中に，音楽番組や映像番組及びデータ放送等のサービスを受けることができるものである。このように衛星ディジタル放送は個人が移動中であってもサービスを楽しむことができるシステムであるため，受信端末２は移動中でも使用できるように携帯可能な小型にできている。
この携帯端末２には電波を受信するためにアンテナが内蔵されている場合も有るが，例えば図５に示すように受信端末２をカバン３に入れてサービスを楽しもうとする場合，内蔵アンテナの指向特性や利得によっては，受信端末２の置かれる状態によって安定した受信ができない場合が有る。そこで，上記に詳細を説明したリムーバブルなアンテナ装置１を，たとえばカバン３の口付近に取付けたり，肩掛けベルト３ａに取付けたりすることによって，電波を最適な条件で受信できるようにするようなリムーバブル，且つ，ウェアラブルなアンテナ装置を提供することによって，加入者は受信端末２の収納状態に関らず，常に安定的に電波を受信でき継続的に高品質な受信状態でサービスを受けることができるのである。
尚，本発明は上記実施の形態に限定されるものではなく，各部の構成を適宜に変更して実施することも可能である。
【図面の簡単な説明】
【００２４】
【図１】本願に係るアンテナ装置の実施形態を示す斜視図である。
【図２】本願に係るアンテナ装置の他の実施例を示す。
【図３】本願に係るアンテナ装置のアンテナ部の立設方向を可変した時の斜視図である。
【図４】本願に係るアンテナ装置を用いた受信システムの概略図である。
【図５】本願に示すウェアラブルアンテナ装置の取付けの実施例を示す。
【符号の説明】
【００２５】
１…アンテナ装置，２…受信端末，３…鞄，３ａ…肩掛けベルト，５…ヘッドフォン，１０…アンテナ部，１１…保護カバー，１２…下部，１３…枢着軸，１５…接続コネクタ，１７…伝送線，１７ａ…接続コネクタ，２０…支持部，２１…枢着部，２５…ボールジョイント，２５ａ…ボール部，２５ｂ…ボール受部，２６…係止爪，３０…挟み器，３１…当付片，３１ａ…枢着片，３１ｂ…先端部，３２…挟持片，３２ａ…枢着片，３２ｂ…先端部，３５…発条，３６…弾性部材
【図１】
2006109021.tif 000003
【図２】
2006109021.tif 000004
【図３】
2006109021.tif 000005
【図４】
2006109021.tif 000006
【図５】
2006109021.tif 000007